(57)【要約】会話型推奨を、テレビジョン番組を視聴中に、備える方法及びシステムを開示する。したがって、本発明は着信テレビジョン信号を監視して視聴者が選好する特定のスポーツ・チームを過去の視聴履歴によって識別する。更に、少なくとも１つの所定会話型推奨が、該視聴者が選好する該スポーツ・チームが検出された場合に、取り出される。該会話型推奨は該スポーツ・チームによる過去の実績を考慮して会話調で該視聴者に示される。
2005524349.tif 000002
【特許請求の範囲】
【請求項１】
会話型コメントを備える方法であって：
複数ソースからの着信テレビジョン信号を検出して視聴者が選好する特定のトピックを過去の視聴履歴によって識別する工程；
所定会話型推奨の少なくとも１つを、該視聴者が選好する該トピックが検出された場合に、取り出す工程；及び
該取り出された所定会話型推奨を該視聴者に向けて該識別トピックによる過去の実績に基づいて示す工程；
を有することを特徴とする方法。
【請求項２】
請求項１記載の方法であって、更に：
該視聴者の地理的位置を得る工程；
を有することを特徴とする方法。
【請求項３】
請求項１記載の方法であって、該視聴者が選好する該トピックが該視聴者の地理的位置及び該特定のトピックを視聴する頻度に基づいて判定されることを特徴とする方法。
【請求項４】
請求項１記載の方法であって、該取り出された所定会話型推奨が該視聴者に向けて、オーディオ信号、テキスト信号、画像信号、ビデオ信号、及び、該オーディオ信号、テキスト信号、画像信号、ビデオ信号の組み合わせで、示されることを特徴とする方法。
【請求項５】
請求項１記載の方法であって、該過去の実績が：
いくつかのインターネット情報源に対する通信チャネルを設定して該視聴者が選好する該トピックに関する情報を取り出す工程；及び
該取り出された情報を、後に取り出すよう、記憶媒体に格納する工程；
を行うことによって得られることを特徴とする方法。
【請求項６】
請求項１記載の方法であって、該取り出された所定会話型推奨が該視聴者に向けて会話調で示されることを特徴とする方法。
【請求項７】
請求項１記載の方法であって、該複数ソースが、テレビジョン放送ネットワーク、インターネット・ネットワーク、無線ネットワーク、並びに有線ネットワーク、又は該テレビジョン放送ネットワーク、インターネット・ネットワーク、無線ネットワーク、並びに有線ネットワークの組み合わせを有することを特徴とする方法。
【請求項８】
請求項１記載の方法であって：
視聴者が視聴した過去の番組の視聴履歴を得る工程；
該視聴者が特定の番組を視聴した頻度を示す、該視聴者についてのユーザ・プロフィール、を生成する工程；及び
所定会話型推奨の少なくとも１つを該視聴者に向けて該視聴者が選好する該番組のうちの１つによる過去の実績に基づいて示す工程；
を有することを特徴とする方法。
【請求項９】
請求項８記載の方法であって、該ユーザ・プロフィールが該視聴者の入力に応じて対話式で生成されることを特徴とする方法。
【請求項１０】
会話型推奨を備えるシステムであって：
視聴者が選好する特定の番組を、視聴者が視聴するテレビジョン番組の視聴履歴によって、識別する検出手段；
少なくとも１つの会話型推奨を、該視聴者が選好する該番組が検出された場合に、取り出す取り出し手段；及び
少なくとも1つの所定会話型推奨を該視聴者に向けて該特定の番組に関する過去のイベントに基づいて示す推奨手段；
を有することを特徴とするシステム。
【請求項１１】
請求項１０記載のシステムであって、更に：
少なくとも１つのソースに対する通信チャネルを設定して該視聴者が選好する該特定の番組を示す情報を取り出す通信手段；及び
複数の所定会話型推奨を表すデータを格納し、該取り出された情報を格納する記憶手段；
を有することを特徴とするシステム。
【請求項１２】
請求項１０記載のシステムであって、更に：
該推奨手段に結合されて、該着信テレビジョン番組及び、該会話型推奨の１つ、を、オーディオ信号、テキスト信号、ビデオ信号、画像信号、並びに、該オーディオ信号、テキスト信号、ビデオ信号、画像信号、の組み合わせ、において、表示する、表示手段；
を有することを特徴とするシステム。
【請求項１３】
請求項１１記載のシステムであって、該複数の該所定会話型推奨を表す該データが対話式で予め生成されることを特徴とするシステム。
【発明の詳細な説明】
【技術分野】
【０００１】
本発明は、一般的に、テレビジョン番組を推奨する方法及び装置に関し、特に、視聴者に会話型コンテンツ推奨を特定対象番組に基づいて備える方法及び装置に関する。
【背景技術】
【０００２】
現代世界において莫大な量のマルチメディアが存在することによって、テレビジョンの視聴者には、非常に多くの種類の選択肢、更には、非常に広い範囲の選択肢がもたらされる。現在、ケーブル・テレビジョン放送サービスを通じて５００超の異なる番組チャンネルが放映されている。オンライン・インターネット・サービスは更に、消費者に対して、各種のサービスで、電子ニュース、プライベート・メッセージ・サービス、ゲーム、及び別の関連するダウンロード可能なサービスを有するもの、を提供する。テレビジョン視聴者が視聴可能なチャンネル数が、そのようなチャンネルで視聴可能な番組コンテンツの多様性とともに、増大するにつれて、テレビジョン視聴者が対象テレビジョン番組を識別する、あるいは対象情報を取り出すことが一層困難になってきている。
【０００３】
利用可能なテレビジョン番組ガイド、例えば、電子番組ガイド（EPG）、で個人別選好によって視聴可能なテレビジョン番組をソート又はサーチすることを可能にするもの、は各種存在する。EPGによって視聴者が従来の印刷されたガイドよりも効率的に所望の番組を識別することが可能になる。多くの視聴者が有する、特定の分類の番組に対する特定の選好又は該番組に対する特定の予断で、視聴者の選好のようなもの、は、特定の視聴者が関心を有し得る推奨番組群を得るようEPGに適用し得る。
【発明の開示】
【発明が解決しようとする課題】
【０００４】
これらのTV番組の推奨器はユーザが非常に多くの数の選択肢をうまく管理することを助長する。しかしながら、これら推奨器がうまく機能する、あるいは、これら推奨器がユーザの最大の関心も念頭においていることをユーザが常にあてにしている訳でない。したがって、本発明は推奨器における信頼を増大させる新規の方法を、該推奨器はそれ自体がユーザと「同じ側に立つ」ことを表すことによって、更には、過去にユーザと該推奨器との両方が視聴した関連イベントについてユーザに思い起こさせることによって、備えるものである。
【課題を解決するための手段】
【０００５】
本発明は特定のトピックの過去の視聴履歴によって会話型コンテンツ推奨を備える方法及びシステムに関する。
【０００６】
本発明の一特徴は会話型コメントを備える方法に関し、着信テレビジョン信号を複数のソースから検出して、視聴者が選好する、特定のイベント又はトピックで、特定のスポーツ・チーム、アスリート、選挙、又は話題の論争点のようなもの、を識別する工程；該視聴者が選好する該イベントが検出された場合に、所定の会話型推奨の少なくとも１つを取り出す工程；及び、該取り出された所定の会話型推奨を該視聴者に向けて、関連するイベントの過去の結果に基づいて、示す工程；を有する。
【０００７】
該視聴者が選好するトピックは該視聴者の地理的位置、特定のトピックを視聴する頻度、及び/又は明示的なユーザ入力、に基づいて判定される。過去の実績は該視聴者が選好するトピックに関する情報を取り出すよういくつかのインターネット情報源に対する通信チャネルを設定するか、該イベントの結果を判定するために選好トピック番組のビデオ・コンテンツを解析するかの何れかによって得られる。会話型推奨はオーディオ信号、テキスト信号、画像信号、ビデオ信号、又はそれらの組み合わせで視聴者に示される。
【０００８】
本発明の別の特徴によれば、会話型推奨を備えるシステムは：
視聴者が選好する特定の番組を、視聴者が視聴するテレビジョン番組の視聴履歴によって、識別する検出手段；
該視聴者が選好する該番組が検出された場合に、少なくとも１つの会話型推奨を取り出す取り出し手段；及び
少なくとも１つの所定の会話型推奨を該視聴者に該特定の番組に関する過去のイベントに基づいて示す推奨手段；
を有する。
【０００９】
該システムは更に：
少なくとも１つのソースに対する通信チャネルを設定して該視聴者が選好する該特定の番組を示す情報を取り出す通信手段；及び
複数の所定会話型推奨を表すデータを格納し、該取り出した情報を格納する格納手段；
を有する。
【００１０】
該システムは更に、制御手段に結合されて、オーディオ信号、テキスト信号、画像信号、ビデオ信号、並びにそれらの組み合わせにおける、着信テレビジョン番組、及び、会話型推奨の１つ、を表示する表示手段を有し、該複数の該所定会話型推奨を表す該データは予め対話方式で生成される。該視聴者が選好するトピックの番組は該視聴者の物理的位置、該特定のトピックを視聴する頻度及び/又は明示的なユーザ入力に基づいて判定される。
【００１１】
本発明の別の特徴によれば、対話型の推奨を備えるシステムはコンピュータによって判読可能なコードを格納するメモリ；及び動作するよう該メモリに結合されたプロセッサ；を有し、該プロセッサは：
複数ソースから着信テレビジョン信号を検出して視聴者が選好する特定のトピックを過去の視聴履歴によって識別する工程；
該視聴者が選好する該トピックが検出された場合、所定の会話型推奨の少なくとも１つを取り出す工程；及び
該取り出した所定の会話型推奨を該視聴者に該識別トピックの過去の実績に基づいて示す工程；
を行うよう構成される。
【００１２】
該プロセッサは更に動作するよう、：
通信チャネルをいくつかのインターネット情報源に対して設定して該視聴者が選好する該トピックに関する情報を取り出す工程；及び
該取り出した情報を、後に取り出すよう、記憶媒体に格納する工程；
を行うものである。
【発明を実施するための最良の形態】
【００１３】
本発明の上記及び別の特徴並びに効果は以下の、添付図面に示すような好適実施例の詳細説明で、参照文字が種々の図を通して同じ部分を表すもの、から明らかである。該図面は必ずしも一定の縮小比にあるものでなく、むしろ、本発明の原理を示すことを強調するものである。
【００１４】
下記明細書では、限定する目的ではなく説明する目的で、特定のアーキテクチャ、インタフェース、手法などのような特定の詳細を、本発明が徹底的に分かるようにするために、示している。しかしながら、本発明は、別の実施例で、これらの特定の詳細から逸脱するもの、において実施し得ることが当業者には明らかである。更に、分かりやすくするよう、周知の装置、回路、及び方法の詳細な説明は割愛して、本発明の説明を、不必要な詳細によって、分かりにくくすることのないようにしている。
【実施例】
【００１５】
図１を参照すれば、本発明の好適実施例は受信器システム１０であり、該システムは会話型コンテンツ推奨を備えることができるものである。該システム１０はオーディオ番組及びビデオ番組を、インターネット並びに通常のテレビジョン（TV）放送、更には、種々の別のソースで、ケーブル放送サービス・プロバイダ、ディジタル高品位テレビジョン（HDTV）並びに/若しくはディジタル標準品位テレビジョン（SDTV）の信号、衛星放送受信アンテナ、通常のRF放送、インターネット接続、又は、VHSプレイヤ若しくはDVDプレイヤのような、別の記憶装置を有するもの、から、受信するよう構成される。該オーディオ番組及びビデオ番組はアナログ、ディジタル、又はディジタル圧縮のフォーマットにおいて任意の伝送媒体で、衛星、ケーブル、有線、テレビジョン放送を有するもの、経由で配信し得るか、ウェブ経由で送出し得る。本システムは更に、別の考えられるネットワークで、ダイレクト・プライベート・ネットワーク及び無線ネットワークのようなもの、に接続することができることを特筆する。代替として、受信器システム１０はパーソナル・コンピュータ・システム（図示せず）に、特定のウェブ・サーバからのインターネット・コンテンツを、ビデオ番組を収容する、高速回線、RF、通常のモデム、又は双方向ケーブルを介して、受信するよう、結合し得る。リモコン３も必要に応じて本発明のシステム１０に対してコマンド信号を送出する。
【００１６】
図２は本発明のこの実施例による受信器システム１０を示すブロック図である。該受信器システム１０はソフトウェアとハードウェア装置との種々の組み合わせで実施し得ることを特筆する。例として、会話型コンテンツ推奨器１０は1つ又は複数のメモリ装置を有する中央処理装置（CPU）を有し、更に、ユーザ・プロフィール１０２、TVコンテンツ解析エンジン１０４、インターネット情報源１０６、会話型推奨モジュール１０８、及び推論エンジン１１０を有する。該ユーザ・プロフィール102は更に：
ユーザのホーム・ロケーションに関する情報を格納するユーザ・ホーム・ロケーション・モジュール102(a)；
該ユーザの過去の視聴履歴を格納するTV視聴履歴モジュール102(b)；
選好アスリート及びチームのような、ユーザの選好トピックを格納する選好トピック・モジュール102(c)；及び
選好トピックに照合するイベントの結果を格納する結果履歴モジュール102(d)；
を有する。
【００１７】
ユーザ・プロフィール１０２はディスクのような、非揮発性の読み取り/書き込みメモリ装置に格納し得る。結果履歴モジュール102(d)はインターネット情報源１０６に対する接続を行って特定のウェブ・コンテンツを取り出すウェブ・ブラウザを備える。ウェブ・コンテンツは、全てのアプリケーション及びHTMLフォーマットを有し、ダウンロードし得るものであり、結果履歴モジュール102(d)に、後に取り出すよう、保存し得る。任意の数の商用又は公に利用可能なブラウザを本発明の好適実施例による種々の実施に利用し得る。例えば、ネットスケープ（Netscape（商標））（ネットスケープ（Netscape）社の商標）のようなブラウザはHTTP下で規定される機能を備えるよう本発明の好適実施例によって利用し得る。
【００１８】
動作中に、受信器システム１０はいくつかの番組で視聴者が視聴するもの、を監視し、番組群、すなわち、経時的に特定の視聴者が関心を有し得るスポーツ番組、を判定する。その後、該システム１０は過去の視聴行動及び視聴者の居住地の地理的位置に基づいて視聴者が選好する番組群を推論する。推論エンジン１１０はユーザのホーム・ロケーション102(a)及びTV視聴履歴102(b)を入力として取り込む。推論エンジン１１０は任意の特定のアスリート又はチームがユーザの視聴するスポーツ・コンテンツの主流を占めているようであるかを確かめる。推論エンジン１１０はわずかに、ユーザに至近なアスリート及びチームを選好する一方で、ユーザがサポートするチーム及び/又はアスリートはどれかを推論する。この例示的実施例はスポーツを例として説明しているが、本発明のシステム１０は、別の種類のTVコンテンツで、政治及び論争点のような、ユーザがどちらの側につくかを選ぶもの、を、本発明の手法によって、対象とすることが可能である。したがって、該システム１０は、ユーザが論戦、論争点、又は選挙でどちらの側に立つかを推論し得る。
【００１９】
視聴者が選好するスポーツ番組の一覧は後に比較するよう選好トピック・モジュール102(c)に格納される。居住地に関する情報は以前に登録プロセスから得られるものであり得る。一方、視聴履歴１０４に基づいてユーザ・プロフィール１０２を得ることは種々の方法で行い得る。例えば、Guttaによる、PCT国際公開第01/45408号パンフレットで、同一の譲受人に対して譲渡され、単に参照することによって本明細書及び特許請求の範囲に組み入れるもの、を参照するものとする。Guttaは推論原理を用いて、推奨番組で特定の視聴者が関心を有し得るもの、を、ユーザの過去の視聴履歴に基づいて、識別する。この目的で、該システムはユーザの視聴履歴を監視し、ユーザが実際に視聴する番組（正の例）及びユーザが視聴しない番組（負の例）を解析する。正の番組の例及び負の番組の例（すなわち、視聴される番組及び視聴されない番組）毎に、いくつかの番組属性で、所定の番組の、時刻、日付、経過時間、チャンネル、視聴率、題名及びジャンルのようなもの、がユーザ・プロフィールにおいて分類される。更に、これらの種々の属性は判定ツリーを生成するのに用いられる。したがって、ユーザの視聴パターンに基づいて、種々の番組コンテンツのユーザの選好又は非選好を得ることが可能である。代替として、該推論を行う別の方法としてベイズ識別器を用いるものがある。この統計ベースの機械学習手法は異なる変数で、チーム及びアスリートのようなもの、を検査し、そのうちのどれがノイズ閾値超まで突出しているかをみるものである。この場合、該識別器は地元のチーム及びアスリートにわずかに高い重みを与え得る。
【００２０】
要約すれば、視聴者が選好するトピックは以下の5つの方法：
１）ユーザは明示的に該システムにどのトピックに関心があるかを伝え得る。例えば、ユーザは該システムにフットボール・チームであるニューヨーク・ジェッツ（the  New  York  Jets）に関する番組全てを記録するよう命じ得る；
２）該システムはユーザが何を選好するかを該ユーザの視聴履歴を解析することによって推論し得る。例えば、該システムは、ニューヨーク・ジェッツの試合がある場合に、それ以外の場合よりも、ユーザがフットボールの試合を視聴する可能性がずっと高いことを見つけ得る；
３）該システムはユーザの地理的位置を用い得る。例えば、該システムが、ユーザがブロンクスに居住することが分かっている場合、該システムはユーザが、やはりブロンクスに本拠をおくニューヨーク・ヤンキース(the  New  York  Yankees)を選好することを推論し得る；
４）該システムは地理的位置と視聴履歴との両方を一緒に、選好トピックを推論するよう、用い得る；
５）該システムがトピックについては確信を有するが、特定の視点については確信を有しない場合、該システムは明示的にユーザに尋ねることが可能である。例えば、ユーザが該システムにニューヨーク州選出上院議員選挙に関するTV番組を全て記録するよう要求する場合、該システムはユーザに、支持する特定の候補者がいるかを尋ね得る。そのようなシステムでは、デフォルト基準が自動的に設定され、視聴者はそれらを修正する選択肢を有する；
のうちの１つによって判定される。
【００２１】
視聴者が選好するスポーツ・チームの種類が特定の視聴者の地理的位置及び視聴行動に基づいて判定されれば、推論選好チーム及びアスリートは次に、選好リストに転送される。新たなアイテムが選好リストに付加された場合、システム１０はユーザが視聴した選好に関するイベントの結果を知ることを試行する。システム１０は視聴履歴102(b)から視聴者が何を視聴したかが分かる。最新のイベントについては、システム１０は結果を以下の3つ：
(i)過去のイベントと同様、ウェブ・サイトを問い合わせ得る；
(ii)これらの詳細を備える第3者サービスに加入し得る；
(iii)着信ビデオ・ストリームを解析し得る；
の方法で知ることが可能である。
【００２２】
スポーツ・イベントの結果を抽出する２つの単純な方式には：
(i)字幕テキストを監視する方式及び/又は
(ii)画面のテキストにOCR(光学式文字認識)を行う方式；
がある。
【００２３】
すなわち、システム１０は特定のスポーツ・チームの各種情報、すなわち、過去の試合結果、統計、試合日程、選手個人の最新情報など、を、ウェブ接続を用いて、インターネット情報源１０６から取り出す。試合の得点のコンテンツはTVコンテンツ解析エンジン１０４からビデオ・ストリームにおいて表されるテキストへの周知のOCR処理を用いることによって得られるものであり得る。受信器システム１０において備えられるブラウザはインターネットに対するウェブ接続をインターネット・インタフェース１０６を介して設定するよう起動される。ウェブ接続は更に、プロキシ又は、対話機能を備える非所属の第3者に対して行われ得る。ユーザが選好するスポーツ・チームの情報はダウンロードされ、受信器システム１０の結果履歴モジュール102(d)において格納される。
【００２４】
着信TV番組１０８(a)に関する情報は外部ソースから受信し得る。会話型モジュール108(b)は更に、会話型推奨器108が対話式で各種の会話型推奨を試合の過去の結果に基づいて備え得るように、複数の会話型コンテンツ推奨を格納する。この目的で、複数の入力及び出力応答に対する項目を有する索引テーブルがメモリに格納される。システム１０は視聴者の選好チームの属性と記録済会話型コンテンツ句の属性との間の相関を見出すよう検索する。したがって、入力の状況で、種々のソースからダウンロードされた情報に基づいて判定されるもの、によって、索引テーブルは特定の出力応答を指し示すものである。
【００２５】
その後、システム１０は新たな番組を外部ソースからのEPGメタデータを確かめることによって監視する。該システムが、該システムが推奨することを所望する番組で、結果履歴を有する選好チーム又はアスリートに関するもの、を見出す場合、システム１０はこのイベントを推奨する会話型の文を選定する。該文は以下：
(i)システム１０とユーザとの両方が同一のチームをサポートしていることをユーザに伝える；
(ii)視聴履歴に照合する以前の結果を受信確認し、システム10とユーザが、両方とも該以前のマッチ/試合を視聴した時に共有イベントを有した、という錯覚を起こさせる；
の構成要素を有する。
【００２６】
例えば、チームAが前回の試合でチームBに敗れた場合で、かつ、チームAが視聴者の居住地に至近のホーム・チームである場合、システム１０はチームAが視聴者の選好チームであることを推論する。そういうものとして、チームAとチームBとの間での試合が放送される場合、推奨器１００はメッセージ、例えば、「我々のチームAは今回勝つと思うか？」、を送信する。別の録音済み文を、特定のチームに関する該種々の文を構成し、テキスト・メッセージ、オーディオ・メッセージ、又はそれらの組み合わせで視聴者に示すことが可能であるように、オペレータによって格納し得る。したがって、「会話型コンテンツ推奨」は自動的に受信器システム１０によって取り出し得るものであり、その関連スポーツ番組が放送される時点で視聴者に示される。この共有体験の創出及びシステムがユーザの同じ側に立っていることの示唆はこの特定の推奨に対する信頼を構築するのみならず、システム１０によって行われる推奨全てに対しての信頼を構築するものである。会話型の文はシステム１０上で有し得るか、外部の場所で有し得るので、システム１０は第3者サービスを用いることによって推奨動作をバイパスすることが可能である。該システムはこのサービスに選好チーム/アスリート推論及びこの個人/チームに関するイベントの視聴履歴を供給するものである。第３者サービスは更に、適切な会話型推奨を備える。
【００２７】
図３は本発明によって行われる動作工程を示す流れ図である。本発明の選択実施例はシステム１０内部でソフトウェアによって実行されるものである。コンピュータ・プログラム（又はコンピュータ制御ロジック）がメモリに格納される。そのようなコンピュータ・プログラムは、実行された場合、コンピュータ・システムが、本明細書及び特許請求の範囲記載の本発明の機能を実行することを可能にする。長方形の構成要素はコンピュータ・ソフトウェア命令を示す一方、菱形の形状の構成要素はコンピュータ・ソフトウェア命令で、長方形のブロックによって表されるコンピュータ・ソフトウェア命令の実行を左右するもの、を表す。代替として、処理ブロック及び判定ブロックはディジタル信号処理器回路又は特定用途向集積回路（ASIC）のような機能的に同等な回路によって行われる工程を表す。この流れ図は如何なる特定のプログラミング言語の構文をも表すものでない。むしろ、この流れ図は、機能的情報で、当業者が、回路を組み立てるか、コンピュータ・ソフトウェアを生成して、該特定の装置が要する処理を行うのに、要するもの、を示す。
【００２８】
工程２００で、着信TV信号をケーブル放送サービス・プロバイダ、アンテナ、又は衛星放送サービスから受信すれば、受信器システム１０は、工程２２０で、着信TV放送信号が、視聴者が選好する選好スポーツ・チームの１つに相当するか否かを検出する。ここでは、視聴者が選好するスポーツ・チームは視聴者が居住する地理的位置及び過去の視聴履歴に基づいて判定される。該システム１０は視聴履歴を検索して特定のチームが以前視聴された番組において多く出現することを発見する。同時に、該チームが視聴者の居住地に至近の場所にある場合、システム１０は特定のチームが視聴者の選好チームであることを推論する。視聴者が選好するスポーツ・チームが検出された場合、選好チームに関する情報が工程２４０で取り出され、いくつかの記録済み会話型コンテンツ句が、工程２６０で、メモリ１０８から取り出される。別の例として、システム１０は、視聴者がNFLのフットボール・チームである「ジェッツ(Jets)」の視聴を選好することを、通常、視聴者の履歴に基づいて判定する。該システムはそのような視聴履歴及び視聴者の居住地を検査し、視聴者の選好フットボール・チームが「ジェッツ」であることが分かる。該システムは更に、「NFLのウェブサイト」を通じて今週末に「ジェッツ」が「レイダーズ（Raiders）」とのプレイオフの試合を予定していることが分かる。システム１０は更に、工程２８０で、いくつかの会話型推奨で、該予定イベントに関するもの、をテキスト若しくはオーディオ、又はそれらの組み合わせで視聴者に送信する。
【００２９】
このようにして、ディジタルTV環境においていくつかの会話型推奨を備える方法及びシステムの好適実施例を説明したが、当業者には該システムの特定の効果が実現されたことが明らかである。上記は単に、この発明の例示的実施例であるものとして構成するものとする。当業者は容易に、本発明の基本的な原理又は範囲から一切逸脱することなくこの実施例に同様な機能を備える別の装置を、着想し得るものである。
【図面の簡単な説明】
【００３０】
【図１】本発明の実施例を適用し得るシステムの簡易ブロック図である。
【図２】本発明の例示的実施例によって会話型コンテンツの推奨を行うようにすることができるシステムの簡易ブロック図である。
【図３】本発明による動作工程を示す流れ図である。
【図１】
2005524349.tif 000003
【図２】
2005524349.tif 000004
【図３】
2005524349.tif 000005
【国際調査報告】
2005524349.tif 000006
2005524349.tif 000007
2005524349.tif 000008
2005524349.tif 000009